(57)【要約】  壁要素、特に引き出し用のフロントパネルは、それぞれが１つの側壁（４）に固定できる互いに離間される２つのホルダ（２）を備え、ホルダ（２）間に少なくとも１つのパネル（５、６、７、１１）が配置される。互いに対向するホルダ（２）の端面はそれぞれ溝（２０）を有し、パネル（５、６、７、１１）を固定するために該溝内にアダプタ要素（８、９、１０、１２）が押し込まれる。【選択図】  図２
2011526499.tif 000002
【特許請求の範囲】
【請求項１】
それぞれが１つの側壁（４）に固定できる、互いに離間される２つのホルダ（２）を有し、前記ホルダ（２）間に少なくとも１つのパネル（５、６、７、１１）が配置された壁要素、特に引き出し用のフロントパネルにおいて、
前記ホルダ（２）がそれぞれ互いに対向する側面に溝（２０）を有し、前記パネル（５、６、７、１１）を固定するために前記溝内にアダプタ要素（８、９、１０、１２）が挿入されることを特徴とする、壁要素。
【請求項２】
前記アダプタ要素（８、９、１０、１２）の各々が受け部を有し、前記受け部に前記パネル（５、６、７、１１）の端部が固定されることを特徴とする、請求項１に記載の壁要素。
【請求項３】
前記受け部が前記パネル（５、６、７、１１）の端部外周を囲むことを特徴とする、請求項１または２に記載の壁要素。
【請求項４】
前記溝（２０）が前記ホルダ（２）の各々にアンダーカットとして設けられることを特徴とする、請求項１〜３のいずれか一項に記載の壁要素。
【請求項５】
少なくとも２つの前記パネル（５、６、７、１１）が前記ホルダ（２）間に設けられることを特徴とする、請求項１〜４のいずれか一項に記載の壁要素。
【請求項６】
前記アダプタ要素（８、９、１０、１２）の各々が、前記ホルダ（２）の前記溝（２０）内に受けられるＴ形状部を有することを特徴とする、請求項１〜５のいずれか一項に記載の壁要素。
【請求項７】
前記ホルダ（２）の各々が少なくとも１つの突出アイ（３）を有し、前記アイに側壁（４）を固定できることを特徴とする、請求項１〜６のいずれか一項に記載の壁要素。
【請求項８】
前記ホルダ（２）の各々における前記溝（２０）の２つの壁（２１、２２）が異なる長さを有することを特徴とする、請求項１〜７のいずれか一項に記載の壁要素。
【請求項９】
前記溝壁（２１、２２）の前記側面（１４）が斜めに延びることを特徴とする、請求項８に記載の壁要素。
【請求項１０】
前記パネル（５）がガラスから成るプレートから形成されることを特徴とする、請求項１〜９のいずれか一項に記載の壁要素。
【請求項１１】
前記パネル（６）がストリップ形状プレートとして設けられることを特徴とする、請求項１〜１０のいずれか一項に記載の壁要素。
【請求項１２】
前記パネル（１１）がロッドとして設けられることを特徴とする、請求項１〜１１のいずれか一項に記載の壁要素。
【請求項１３】
前記ホルダ（２）の各々には下側領域にフロアプレートがパネル（７）として固定されることを特徴とする、請求項１〜１２のいずれか一項に記載の壁要素。
【請求項１４】
請求項１〜１３のいずれか一項に記載の壁要素がフロントパネルとして設けられる、特に家具用の引き出し。
【発明の詳細な説明】
【技術分野】
【０００１】
本発明は、それぞれが側壁に固定できる、互いに離間されている２つのホルダを有し、ホルダ間に少なくとも１つのパネルが配置された壁要素、特に引き出し用のフロントパネルに関する。
【背景技術】
【０００２】
独国特許第２９８０９７５１号は、２つのプレートを互いに垂直に固定できる、特に家具用のプレートのためのアングルコネクタを開示する。２つのプレートを互いに垂直に固定する目的のため、アングルコネクタは、互いに垂直に形成される２つのＵ形状領域を備え、各Ｕ形状領域内にクランプ態様でプレートを挿入できる。このようなアングルコネクタでは、所定の厚さのプレートだけしか固定できず、公差補償を行なうことができない。僅かな遊びがある場合には、プレートがアングルコネクタ内で滑る可能性がある。また、そのような接続の強度は限られる。
【０００３】
欧州特許第１２４６４５号は、フロントパネルが両側でホルダに固定される家具引き出しを開示する。各ホルダが側壁の一部を形成し、フロントパネルが一部品プレートとして形成される。そのようなフロントパネルは技術的に実績をつくってきたが、外観が単調であり、設計スタイルが限られる。例えばストリップ、ロッド、または、プレートの形態を成す様々なパネルを柔軟に、側部ホルダに締結することができない。
【発明の概要】
【発明が解決しようとする課題】
【０００４】
したがって、本発明は、融通性に富むよう構成され、簡単に取り付けられるようにする壁要素、特に引き出し用のフロントパネルを提供するという目的に基づいている。
【課題を解決するための手段】
【０００５】
この目的は、請求項１の特徴を有する壁要素によって達成される。
【０００６】
本発明によれば、壁要素が２つのホルダを備え、各ホルダが互いに対向する側面に溝を有し、パネルを固定するために該溝内にアダプタ要素が挿入される。このようにすると、１つ以上のパネルがホルダに取り付けられるため、壁要素を柔軟に構成できる。したがって、特に家具の分野においては、異なる色、形状、および、材料を有する壁要素を使用できる。特に、ガラスから成るパネルをホルダに固定することもでき、アダプタ要素は、確実な締結を確保して、特にパネルの厚さに関して特定の公差補償を果たす。
【０００７】
本発明の好ましい実施形態によれば、各アダプタ要素が受け部を有し、該受け部にパネルの端部が固定される。したがって、アダプタは、例えばクランプ態様でパネルを固定できる。壁要素または引き出しの移動中にフラッピングノイズが生じないように、パネルの端部の外周が取り囲まれるのが好ましい。パネルのクランプ固定が可能となるように、アダプタ要素を弾性材料、例えばプラスチックから形成することができる。
【０００８】
本発明の更なる実施形態では、各ホルダの溝がアンダーカットとして設けられる。したがって、溝からのアダプタ要素の抜け出しが防止される。アダプタ要素を溝に沿ってのみ移動させることができる。
【０００９】
特に魅力的な外観のため、少なくとも２つのパネルがホルダ間に設けられてもよい。このようにすると、２つ以上のパネルが特別な色の外観を壁要素に付与できるため、壁要素を様々な態様でスタイリングすることができる。
【００１０】
本発明の好ましい実施形態において、各アダプタ要素は、ホルダの溝内に受けられるＴ形状部を有する。ホルダ自体は、側壁を固定可能な少なくとも１つの突出アイを有することができる。したがって、壁要素を２つの側壁に安定して固定できる。
【００１１】
特に安定した締結のため、溝の２つの壁が各ホルダで異なる長さを有してもよい。溝壁の前記側面が斜めに延びていてもよく、それにより、パネルの面に対して垂直な方向での壁要素の移動中、各アダプタ要素のＴ形状部の高い負荷が防止される。これは、溝壁の斜めに延びる前記側面が特定の衝撃力を吸収できるからである。壁要素は、ガラスから成るプレートから形成されるパネルを備えることが好ましい。ガラスは、透明または半透明ならびに／もしくはサテン仕上げされたものとして設けることができ、それにより、特に家具の分野では、魅力的にスタイリングされた引き出しを製造することができる。また、壁要素は、ストリップ形状プレートとしてのパネルを備えることができる。これに加えてまたはこれに代えて、ハンドル要素としても使用されるロッドとしてパネルを設けることができる。パネルは、個別にまたは互いに組み合わせて使用されてもよい。
【００１２】
安定した締結のため、パネルとして設けられるフロアプレートを各ホルダの下側領域に固定することができる。したがって、壁要素をボックス形状構造体に取り付けることができる。
【００１３】
壁要素は、引き出しのフロントパネルとして設けられるのが好ましい。
【００１４】
以下、添付図面に関連する複数の典型的な実施形態に基づいて、本発明を更に詳しく説明する。
【図面の簡単な説明】
【００１５】
【図１】本発明に係る壁要素の取り付け状態の斜視図を示している。
【図２】図１の壁要素の取り付け中の斜視図を示している。
【図３】変形された壁要素の正面図を示している。
【図４】ＡおよびＢは図３の壁要素の２つの図を示している。
【図５】図３の壁要素の斜視図を示している。
【図６】図３の壁要素の取り付け中の斜視図を示している。
【発明を実施するための形態】
【００１６】
引き出し１は両側に２つのホルダ２を有する壁要素を備え、各ホルダは後側に２つの突出するアイ３を備え、それぞれのアイには引き出しの側壁４が固定される。ホルダ２はプラスチックから成るが、木材または金属を使用することもできる。
【００１７】
複数のパネル５、６、７がホルダ間に取り付けられ、これらのパネルは略プレート形状を成し、互いに上下に積み重ねられる。
【００１８】
フロアプレートとして設けられるパネル７は、ホルダ２の下側領域に取り付けられ、両側がアダプタ要素８に固定される。各アダプタ要素８はホルダ２の溝２０内に挿入される。同様に両側がアダプタ要素９に固定されるパネル６は、フロアプレートとして設けられるパネル７上に配置され、アダプタ要素９が受け部を形成し、該受け部にパネル６の端部が嵌め込まれる。アダプタ要素９はホルダ２のアンダーカット溝２０内で案内される。
【００１９】
パネル６の上側には更なるパネル５が設けられ、該パネル５はガラスから成る薄いプレートとして形成される。このパネル５は縁がアダプタ要素１０によって取り囲まれ、該アダプタ要素は、パネル５の縦縁のみを取り囲んで、クランプ態様でパネル５を固定する。また、アダプタ要素１０は、２つのホルダ２の溝２０内で案内される。
【００２０】
パネル５、６は、任意のプレート状材料、特にガラス、木材、シートメタル、石、または、プラスチックから構成されてもよい。このようにすると、壁要素は、ホルダ２とアダプタ要素９、１０による締結とを変更する必要なく、様々な視覚的形態を成すことができる。
【００２１】
変形された引き出し１’の壁要素が図３に示されており、この場合、パネル５の代わりに上側領域にロッドがパネル１１として取り付けられる。ロッドの形態を成すパネル１１は縁がアダプタ要素１２に固定され、該アダプタ要素はＴ形状部を使用してホルダ２の溝２０内に挿入される。
【００２２】
図４のＡおよびＢに示されるように、アダプタ要素１２は、ホルダ２の溝２０内に挿入されるＴ形状部１３を有する。異なる長さを有する溝壁２１、２２が設けられる。また、２つの溝壁２１、２２の一方の先端１４は、斜めに設けられており、パネル６と垂直な面に対して１０°〜３０°の角度を成して延びている。したがって、パネル６の面に対して垂直な壁要素の動きの最中に、溝壁２１、２２によって衝撃力を既に吸収することができ、それにより、アダプタ要素１２のＴ形状部の負荷が低減される。
【００２３】
図５には、壁要素が取り付け位置で示されている。ロッドとして設けられるパネル１１は、下側のパネル６から離間して配置されており、したがって、特に壁要素を引き出しと共に移動させるために容易に握持することができる。
【００２４】
図６には取り付け中のアダプタ要素１２が示されており、該アダプタ要素１２は、Ｔ形状部１３を使用してホルダ２の溝２０内で案内され、溝２０内に受けられるウェブ１５が下方に延在する。このようにすると、ウェブ１５がアダプタ要素９のＴ形状部上に立つため、パネル１１がパネル６から離間して取り付けられる。
【００２５】
本発明に係る壁要素により、様々な異なるパネル５、６、１１をホルダ２に取り付けることができ、そのため、設計において殆ど制約がない。様々な材料、形状、および、色を使用できる。これは特に家具の分野における改善である。引き出しの場合には、フロントパネルの柔軟なスタイルが不可能だったからである。
【符号の説明】
【００２６】
１  引き出し
２  ホルダ
３  アイ
４  側壁
５  パネル
６  パネル
７  フロアプレートとしてのパネル
８  アダプタ要素
９  アダプタ要素
１０  アダプタ要素
１１  バーとして設けられるパネル
１２  アダプタ要素
１３  Ｔ形状部
１４  先端（側面）
１５  ウェブ
２０  溝
２１  溝壁
２２  溝壁
【図１】
2011526499.tif 000003
【図２】
2011526499.tif 000004
【図３】
2011526499.tif 000005
【図４】
2011526499.tif 000006
【図５】
2011526499.tif 000007
【図６】
2011526499.tif 000008
【国際調査報告】
2011526499.tif 000009
2011526499.tif 000010
2011526499.tif 000011
2011526499.tif 000012